【手続補正書】
【提出日】平成14年4月5日(2002.4.5)
【手続補正１】
【補正対象書類名】明細書
【補正対象項目名】特許請求の範囲
【補正方法】変更
【補正の内容】
【特許請求の範囲】
【請求項１】
（ａ）スチレンモノマーとアクリルモノマーとを含む架橋コポリマーを含む第１の樹脂と、
（ｂ）約５００〜約１０００の範囲の分子量を有するスチレンモノマーとアクリルモノマーとを含む非架橋コポリマーを含む第２の樹脂と、
（ｃ）エチレンプロピレンコポリマーを含み、かつ、約５００〜約１０００の範囲の分子量を有するワックスとを含む、トナー微粒子。
【請求項２】
前記第２の樹脂に対する前記第１の樹脂の重量比が、約０．７：０．３〜約０．３：０．７である、請求項１に記載のトナー微粒子。
【請求項３】
前記第２の樹脂に対する前記第１の樹脂の前記比が、約１：１である、請求項２に記載のトナー微粒子。
【請求項４】
前記トナー微粒子が約４０重量％〜約８０重量％の混合された前記第１の樹脂と前記第２の樹脂とを含む、請求項１に記載のトナー微粒子。
【請求項５】
磁性成分と、着色剤と、電荷制御剤と、これらの混合物とから成る群から選択される成分を更に含む、請求項１に記載のトナー微粒子。
【請求項６】
前記ワックスが約１００℃未満の融点を有する、請求項１に記載のトナー微粒子。
【請求項７】
前記第２の樹脂が酸官能基を更に含み、かつ、約５〜約１５の範囲の酸価を有する、請求項１に記載のトナー微粒子。
【請求項８】
前記第２の樹脂が、スチレンモノマーと、アクリルモノマーと、酸官能基とを含む非架橋コポリマーを含み、かつ、約５〜約１５の範囲の酸価を有し、
前記第２の樹脂に対する前記第１の樹脂の重量比が、約０．７：０．３〜約０．３：０．７であり、
前記エチレンプロピレンコポリマーを含むワックスが、当該微粒子の約１．７重量％〜約１．９重量％の量で存在し、かつ、約１００℃未満の融点を有する、請求項１に記載のトナー微粒子。
【請求項９】
混合物を得るために、スチレンモノマーとアクリルモノマーとを含む架橋コポリマーを含む第１の樹脂と、スチレンモノマーとアクリルモノマーとを含む非架橋コポリマーを含む第２の樹脂と、エチレンプロピレンコポリマーを含み、かつ、約５００〜約１０００の範囲の分子量を有するワックスとを混合する段階と、
トナー微粒子を得るために前記混合物を粉砕する段階とを含む、トナー微粒子の製造方法。
【請求項１０】
前記第２の樹脂に対する前記第１の樹脂の重量比が、約０．７：０．３〜約０．３：０．７である、請求項９に記載の方法。
【請求項１１】
トナー微粒子を含むトナー組成物を提供する段階を含み、
前記トナー微粒子が、スチレンモノマーとアクリルモノマーとを含む架橋コポリマーを含む第１の樹脂と、スチレンモノマーとアクリルモノマーとを含む非架橋コポリマーを含む第２の樹脂と、エチレンプロピレンコポリマーを含み、かつ、約５００〜約１０００の分子量を有するワックスとを含む、プリンタの非加熱ローラー上におけるトナーの蓄積を低減する方法。
【請求項１２】
トナー微粒子を含むトナー組成物を提供する段階を含み、
前記トナー微粒子が、スチレンモノマーとアクリルモノマーとを含む架橋コポリマーを含む第１の樹脂と、スチレンモノマーとアクリルモノマーとを含む非架橋コポリマーを含む第２の樹脂と、エチレンプロピレンコポリマーを含み、かつ約５００〜約１０００の分子量を有するワックスとを含み、
さらに、前記第１の樹脂が酸官能基を実質的に有しておらず、前記第２の樹脂が酸官能基を含み、かつ、約５〜約１５の範囲の酸価を有する、プリンタの非加熱ローラー上におけるトナーの蓄積を低減する方法。
【請求項１３】
前記第１の樹脂が、架橋されたスチレンブチルアクリレートコポリマーを含み、前記第２の樹脂が、架橋されていないスチレンブチルアクリレートコポリマーを含む、請求項１２に記載の方法。
【請求項１４】
前記エチレンプロピレンコポリマーを含むワックスが、前記微粒子の約１．７重量％〜約１．９重量％の量で存在し、かつ、約１００℃未満の融点を有する、請求項１３に記載の方法。
【請求項１５】
トナー微粒子を含むトナー組成物であって、
前記トナー微粒子が、
スチレンモノマーとアクリルモノマーとを含む架橋コポリマーを含む第１の樹脂と、
スチレンモノマーとアクリルモノマーとを含む非架橋コポリマーを含む第２の樹脂と、
エチレンプロピレンコポリマーを含み、かつ、約５００〜約１０００の分子量を有するワックスとを含む、トナー組成物。
【請求項１６】
（ａ）酸官能基を実質的に有せず、スチレンモノマーとアクリルモノマーとを含む架橋ポリマーである第１の樹脂と、
（ｂ）酸官能基を含み、スチレンモノマーとアクリルモノマーとを含む非架橋ポリマーである第２の樹脂と、
（ｃ）エチレンプロピレンコポリマーを含み、かつ約５００〜約１０００の分子量を有するワックスとを含む、トナー微粒子。
【請求項１７】
前記第１の樹脂が約２，０００より大きな分子量を有し、前記第２の樹脂が約２，０００より大きな分子量を有する、請求項１６に記載のトナー微粒子。
【請求項１８】
（ａ）架橋コポリマーを含む第１の樹脂と、
（ｂ）非架橋コポリマーを含む第２の樹脂と、
（ｃ）約９４：６〜約９９：１の範囲のエチレンプロピレン重量比でエチレンプロピレンコポリマーを含むワックスとを含み、
前記架橋コポリマーが前記エチレンプロピレンコポリマーを含むワックスとは異なり、かつ、前記非架橋コポリマーが前記エチレンプロピレンコポリマーを含むワックスとは異なる、トナー微粒子。
【請求項１９】
前記エチレンプロピレンコポリマーを含むワックスを約３重量％まで含む、請求項１８に記載のトナー微粒子。
【請求項２０】
前記エチレンプロピレンコポリマーを含むワックスを約１．７重量％〜約１．９重量％含む、請求項１９に記載のトナー微粒子。
【請求項２１】
混合物を得るために、架橋ポリマーを含む第１の樹脂と、非架橋ポリマーを含む第２の樹脂と、約９４：６〜約９９：１の範囲のエチレンプロピレン重量比でエチレンプロピレンコポリマーを含むワックスとを混合する段階と、
トナー微粒子を得るために前記混合物を粉砕する段階とを含み、
前記架橋ポリマーが前記エチレンプロピレンコポリマーを含むワックスとは異なり、かつ、前記非架橋ポリマーが前記エチレンプロピレンコポリマーを含むワックスとは異なる、トナー微粒子の製造方法。
【請求項２２】
前記トナー微粒子の直径のメジアンが、約６．８５μｍ〜約７．５５μｍの範囲にある、請求項２１に記載の方法。
【請求項２３】
４μｍ未満の直径を有する前記トナー微粒子の体積パーセントが、約１．５％〜約３．５％の範囲にあり、１０μｍより大きな直径を有する前記トナー微粒子の体積パーセントが、約２％〜約１１％の範囲にある、請求項２２に記載の方法。
【請求項２４】
前記混合物が磁性成分を更に含む、請求項２１に記載の方法。
【請求項２５】
前記混合物を得るために、前記第１の樹脂と、前記第２の樹脂と、前記ワックスと、前記磁性成分とを混合する段階が、前記第１の樹脂と、前記第２の樹脂と、前記ワックスと、前記磁性成分とを溶融混合することを含む、請求項２４に記載の方法。
【請求項２６】
トナー微粒子を含むトナー組成物を提供する段階を含み、
前記トナー微粒子が、架橋ポリマーを含む第１の樹脂と、非架橋コポリマーを含む第２の樹脂と、約９４：６〜約９９：１の範囲のエチレンプロピレン重量比でエチレンプロピレンコポリマーを含むワックスとを含み、
前記架橋ポリマーが前記エチレンプロピレンコポリマーを含むワックスとは異なり、かつ、前記非架橋ポリマーが前記エチレンプロピレンコポリマーを含むワックスとは異なる、プリンタの非加熱ローラー上におけるトナーの蓄積を低減する方法。
【請求項２７】
前記トナー組成物を基板に塗布する段階と、前記トナー組成物を加熱及び加圧する段階とを更に含む、請求項２６に記載の方法。
【請求項２８】
前記トナー微粒子が、磁性成分と、電荷制御剤と、着色剤と、これらの混合物とから成る群から選択される成分を更に含む、請求項２６に記載の方法。
【請求項２９】
前記ワックスが約１００℃未満の融点を有する、請求項２６に記載の方法。
【請求項３０】
トナー微粒子を含むトナー組成物を提供する段階を含み、
前記トナー微粒子が、第１の樹脂と、第２の樹脂と、約９４：６〜約９９：１の範囲のエチレンプロピレン重量比でエチレンプロピレンコポリマーを含むワックスとを含み、
さらに、前記第１の樹脂が酸官能基を実質的に有しておらず、前記第２の樹脂が酸官能基を含み、かつ、約５〜約１５の範囲の酸価を有する、プリンタの非加熱ローラー上におけるトナーの蓄積を低減する方法。
【請求項３１】
トナー微粒子を含むトナー組成物であって、
前記トナー微粒子が、
エチレンプロピレンコポリマーとは異なる架橋ポリマーを含む第１の樹脂と、
エチレンプロピレンコポリマーとは異なる非架橋ポリマーを含む第２の樹脂と、
約９４：６〜約９９：１の範囲のエチレンプロピレン重量比でエチレンプロピレンコポリマーを含むワックスとを含む、トナー組成物。
【請求項３２】
前記トナー組成物がシリカを更に含む、請求項３１に記載のトナー組成物。
【請求項３３】
前記トナー組成物がスチレンアクリルのマイクロ球を更に含む、請求項３１に記載のトナー組成物。
【請求項３４】
（ａ）酸官能基を実質的に有していない第１の樹脂と、
（ｂ）酸官能基を含む第２の樹脂と、
（ｃ）約９４：６〜約９９：１の範囲のエチレンプロピレン重量比でエチレンプロピレンコポリマーを含むワックスとを含み、
前記第１の樹脂が前記エチレンプロピレンコポリマーを含むワックスとは異なり、かつ、前記第２の樹脂が前記エチレンプロピレンコポリマーを含むワックスとは異なる、トナー微粒子。
【請求項３５】
前記第２の樹脂が約５〜約１５の範囲の酸価を有する、請求項３４に記載のトナー微粒子。
【請求項３６】
前記第１の樹脂が架橋されたスチレンブチルアクリレートコポリマーであり、前記第２の樹脂が架橋されていないスチレンブチルアクリレートコポリマーである、請求項３４に記載のトナー微粒子。